(57)【要約】【課題】使用者が手及び／又は前腕のマッサージを終えた際に、使用者の手及び／又は前腕をスムーズ、且つ確実に腕マッサージ部から離脱させることが可能な椅子型マッサージ機を提供する。【解決手段】本発明の椅子型マッサージ機１は、座部２と、座部２の両側に設けられる肘掛け部３と、肘掛け部３の後方に向かって開口する開口部７を有すると共に開口部７から挿し込まれた手Ｗ及び／又は前腕Ｖをマッサージする腕マッサージ部５と、座部２の後側に設けられた背もたれ部４とを有する椅子型マッサージ機１において、腕マッサージ部５は、肘掛け部３内に収容される格納位置と肘掛け部３の上方に突出して開口部７からの手Ｗ及び／又は前腕Ｖの挿し込みが可能とされるマッサージ位置との間で上下方向に移動自在とされ、格納位置における腕マッサージ部５の開口部７に対面する肘掛け部３に開口部７より後方が切り取られてなる切り欠き部２０が形成されている。【選択図】図１
2015000269.tif 000002
【特許請求の範囲】
【請求項１】
座部と、当該座部の左右方向の両側に前後方向に伸びるように設けられる肘掛け部と、前記肘掛け部の後方に向かって開口する開口部を有すると共に当該開口部から前方に向かって挿し込まれた手及び／又は前腕のマッサージを可能とする腕マッサージ部と、前記座部の後側に設けられた背もたれ部と、を有する椅子型マッサージ機において、
前記腕マッサージ部は、前記肘掛け部内に収容される格納位置と、前記肘掛け部の上方に突出して開口部からの手及び／又は前腕の挿し込みが可能とされるマッサージ位置との間で、上下方向に移動自在とされており、
前記格納位置における腕マッサージ部の開口部に対面する肘掛け部には、当該開口部より後方が切り取られてなる切り欠き部が形成されている
ことを特徴とする椅子型マッサージ機。
【請求項２】
前記開口部の左右方向の内側には、当該開口部に連通するように長細状に開口され、且つ前記座部側からの手及び／又は前腕の挿し込みを可能とする側方開口部が形成されており、
前記腕マッサージ部が格納位置にあるときに前記側方開口部が閉鎖され、且つ前記腕マッサージ部がマッサージ位置にあるときに前記側方開口部が開口する
ことを特徴とする請求項１に記載の椅子型マッサージ機。
【請求項３】
前記腕マッサージ部は、当該腕マッサージ部の先端部が前記肘掛け部に回動自在に枢支されていて、当該肘掛け部に枢支された軸心回りに腕マッサージ部が前方回動自在で上下方向に移動可能とされている
ことを特徴とする請求項１又は２に記載の椅子型マッサージ機。
【請求項４】
前記腕マッサージ部の先端部には、挿し込まれた手を押圧マッサージするための手マッサージ部が設けられており、
前記手マッサージ部には、前記開口部又は側方開口部の端部から前方に向かって連接するように形成されると共に、挿し込まれた手を座部方向へ離脱可能とする切り込み部が形成されている
ことを特徴とする請求項１〜３のいずれかに記載の椅子型マッサージ機。
【請求項５】
前記切り込み部は、前記手マッサージ部の上下方向の上部又は中途部に形成されていることを特徴とする請求項４に記載の椅子型マッサージ機。
【発明の詳細な説明】
【技術分野】
【０００１】
本発明は、肘掛け部に腕マッサージ部を備えた椅子型マッサージ機に関する。
【背景技術】
【０００２】
周知の如く、椅子型マッサージ機の技術分野においては、使用者の腕をマッサージ可能な腕マッサージ部を備えたものが既に開発されている。
例えば、特許文献１には、使用者の腕をマッサージ可能な腕マッサージ部を肘掛け部の上方に設けた椅子型マッサージ機が開示されている。この腕マッサージ部は、肘掛け部に沿った方向に軸心が向く半円筒状に形成されたケーシングの内側にエアバッグで構成されたマッサージ部を備えており、エアバッグ式のマッサージ部を膨らましたり縮めたりすることでケーシングの内側に挿し込まれた使用者の腕をマッサージ可能となっている。
【０００３】
とはいえ、椅子型マッサージ機では、マッサージを受ける使用者がすべて腕のマッサージを希望するわけではない。例えば、使用者によっては、腕のマッサージを受けずに肩や腰のマッサージだけを希望する場合もあり、その場合は当然肘掛け部に腕をのせてマッサージを受けることになる。ところが、特許文献１の椅子型マッサージ機のように腕マッサージ部が肘掛け部の上側に固定されていると、肘掛け部に腕を載せたり載せた腕を伸ばしたりする際に腕マッサージ部が邪魔になるため、リラックスした姿勢を取ることができないという問題があり、リラックスした姿勢を取るためのスペースを肘掛け部に確保することができる新たな技術が必要であった。
【０００４】
そのため、特許文献２に示す如く、椅子型マッサージ機の肘掛け部内に腕マッサージ部を格納する技術を本願出願人は既に開発している。
すなわち、特許文献２には、座部と、座部の左右方向の両側に前後方向に伸びるように設けられる肘掛け部と、座部の後側に設けられた背もたれ部とを備えた椅子型マッサージ機において、前記肘掛け部には、当該肘掛け部の後方に向かって開口する開口部を有すると共に、当該開口部から前方に向かって挿し込まれた腕のマッサージを可能とする腕マッサージ部が設けられており、前記腕マッサージ部は、肘掛け部内に収容されて開口部からの腕の挿し込みが規制される格納位置と、前記肘掛け部の上方に突出して開口部からの腕の挿し込みが可能とされるマッサージ位置との間で、上下方向に移動自在とされている椅子型マッサージ機が開示されている。
【先行技術文献】
【特許文献】
【０００５】
【特許文献１】特開２００４−２１６１２０号公報（図１）
【特許文献２】特開２０１１−２３４７８３号公報
【発明の概要】
【発明が解決しようとする課題】
【０００６】
特許文献２の技術は、特許文献１の難点を克服する画期的なものであり、特許文献２に開示された椅子型マッサージ機によれば、使用者は、腕マッサージ部を用いて腕に対する効果的なマッサージを施術できるものとなる。さらには、腕マッサージ部の非使用時には、当該腕マッサージ部は、肘掛け部内に収納され、見栄えがよいものとなっている。
しかしながら、特許文献１の難点を克服すると考えられる特許文献２の技術にも、以下に述べるような若干の問題点が存在することが知見された。
【０００７】
すなわち、特許文献２の椅子型マッサージ機においては、使用者が手及び／又は前腕のマッサージを終えて腕マッサージ部から手と前腕を離脱させるときに、使用者の肘や前腕が腕マッサージ部の開口部直後の肘掛け部に接触してしまうことがあり、腕マッサージ部から手と前腕をスムーズに離脱させることができないという点である。例えば、上肢（腕）が太かったり長かったりする使用者の場合、腕マッサージ部の開口部直後の肘掛け部に肘や前腕が引っかかってしまうこととなり、スムーズに離脱させることができない。
【０００８】
その一方で、腕マッサージ部の先端部（手をマッサージする部分）は、使用者の手を覆うように形成されているため、使用者が手のマッサージを終えてその先端部から手を離脱
させる際に、手と前腕を後方に移動させて離脱させる必要があり、スムーズに手と前腕を離脱させることができないこともある。
そこで、本発明は、上述の問題に鑑みてなされたものであり、使用者が手及び／又は前腕のマッサージを終えた際に、使用者の手及び／又は前腕をスムーズ、且つ確実に腕マッサージ部から離脱させることが可能な椅子型マッサージ機を提供することを目的とする。
【課題を解決するための手段】
【０００９】
上述した課題を解決するため、本発明では以下の技術的手段を講じている。
本発明に係る椅子型マッサージ機は、座部と、当該座部の左右方向の両側に前後方向に伸びるように設けられる肘掛け部と、前記肘掛け部の後方に向かって開口する開口部を有すると共に当該開口部から前方に向かって挿し込まれた手及び／又は前腕のマッサージを可能とする腕マッサージ部と、前記座部の後側に設けられた背もたれ部と、を有する椅子型マッサージ機において、前記腕マッサージ部は、前記肘掛け部内に収容される格納位置と、前記肘掛け部の上方に突出して開口部からの手及び／又は前腕の挿し込みが可能とされるマッサージ位置との間で、上下方向に移動自在とされており、前記格納位置における腕マッサージ部の開口部に対面する肘掛け部には、当該開口部より後方が切り取られてなる切り欠き部が形成されていることを特徴とする。
【００１０】
好ましくは、前記開口部の左右方向の内側には、当該開口部に連通するように長細状に開口され、且つ前記座部側からの手及び／又は前腕の挿し込みを可能とする側方開口部が形成されており、前記腕マッサージ部が格納位置にあるときに前記側方開口部が閉鎖され、且つ前記腕マッサージ部がマッサージ位置にあるときに前記側方開口部が開口するとよい。
【００１１】
好ましくは、前記腕マッサージ部は、当該腕マッサージ部の先端部が前記肘掛け部に回動自在に枢支されていて、当該肘掛け部に枢支された軸心回りに腕マッサージ部が前方回動自在で上下方向に移動可能とされているとよい。
好ましくは、前記腕マッサージ部の先端部には、挿し込まれた手を押圧マッサージするための手マッサージ部が設けられており、前記手マッサージ部には、前記開口部又は側方開口部の端部から前方に向かって連接するように形成されると共に、挿し込まれた手を座部方向へ離脱可能とする切り込み部が形成されているとよい。
【００１２】
好ましくは、前記切り込み部は、前記手マッサージ部の上下方向の上部又は中途部に形成されているとよい。
【発明の効果】
【００１３】
本発明に係る椅子型マッサージ機によれば、使用者が手及び／又は前腕のマッサージを終えた際に、使用者の手及び／又は前腕をスムーズ、且つ確実に腕マッサージ部から離脱させることができる。
【図面の簡単な説明】
【００１４】
【図１】（ａ）は、本発明の椅子型マッサージ機の腕マッサージ部が格納位置にある場合を示す斜視図であり、（ｂ）は、本発明の椅子型マッサージ機の腕マッサージ部がマッサージ位置にある場合を示す斜視図である。
【図２】本発明の椅子型マッサージ機の腕マッサージ部に、手と前腕を挿し込んで腕のマッサージを行う態様を示す図である。
【図３】（ａ）は、腕マッサージ部に手と前腕を挿し込んだ状態を示す図であり、（ｂ）は、腕マッサージ部から手と前腕を離脱させた状態を示す図である。
【発明を実施するための形態】
【００１５】
以下、本発明にかかる椅子型マッサージ機１を図に基づいて説明する。
図１に示すように、椅子型マッサージ機１は、座部２と、座部２の左右方向の両側に前後方向に伸びるように設けられる肘掛け部３と、座部２の後側に設けられた背もたれ部４とを備えている。また、肘掛け部３には腕のマッサージを可能とする腕マッサージ部５が設けられており、この腕マッサージ部５は肘掛け部３に対して上下方向に移動自在とされている。
【００１６】
以下、図１（ａ）に示す如く、椅子型マッサージ機１に座った使用者（被マッサージ者
）から見た前後方向を椅子型マッサージ機１を説明する際の前後方向と呼び、使用者から見た左右方向を椅子型マッサージ機１を説明する際の左右方向（幅方向）と呼ぶ。また、椅子型マッサージ機１に座った使用者から見た上下方向を椅子型マッサージ機１を説明する際の上下方向と呼ぶ。なお、使用者の施療部位に関しては、「腕」と呼ばれる部分のうち、手首から肘までを「前腕Ｖ」と呼び、手首から先の部分を「手Ｗ」と呼ぶ。
【００１７】
座部２は、使用者が着座可能なように平面視で矩形状に形成された部材であり、床面から上方に距離をあけて水平に座面が向くように取り付けられている。座部２の内部には使用者の体重を支持できるように図示しないフレーム部材が設けられており、また座部２の上面側にはクッション部材が配備されていて使用者に良好な座り心地を提供できるようになっている。座部２の左側と右側には肘掛け部３がそれぞれ設けられており、また座部２の下側には図示しないフットマッサージ部などを収容可能な空間が形成されている。
【００１８】
肘掛け部３は、床面に対して垂直に起立した板状の部材であって、座部２の左側と右側とに互いに距離をあけて且つ座部２に隣接するように配備されている。肘掛け部３は、座部２の左側に配備される左肘掛け部３Ｌと、座部２の右側に配備される右肘掛け部３Ｒとで構成されている。これらの左肘掛け部３Ｌ、及び右肘掛け部３Ｒはいずれも前後方向に伸びるように設けられており、またそれぞれの上面は前腕Ｖ及び手Ｗを載せて支障なく伸ばすことができるような幅を有すると共に前後方向になだらかに形成されている。
【００１９】
肘掛け部３の内部には、上下方向に向かって起立した支持フレーム６が設けられている。この支持フレーム６は、座部２のフレーム部材と直交状に連結固定されており、座部２に加わる使用者の体重を座部２のフレーム部材を介して支持できるようになっている。
背もたれ部４は、使用者がもたれ掛かれるように座部２の後側に設けられている。背もたれ部４は、座部２の後側の支持フレーム６に対して左右方向を向く水平軸周りに揺動自在に枢支されており、上下方向に沿って起立した起立姿勢と後方に向かってほぼ水平に倒れ込んだリクライニング姿勢との間で自由に傾斜できるようになっている。
【００２０】
図１、図２に示すように、本発明の椅子型マッサージ機１には、使用者の手Ｗ及び／又は前腕Ｖを確実にマッサージできる腕マッサージ部５（上肢マッサージ部）を備えられている。この腕マッサージ部５は、肘掛け部３内に格納（内蔵）されるようになっており、肘掛け部３の上面に前腕Ｖ及び手Ｗを載置する際に、腕マッサージ部５が邪魔になることがないようになっている。
【００２１】
腕マッサージ部５は、前後方向に沿って長尺状に形成された部材であって、左肘掛け部３Ｌの上部に配備される左腕マッサージ部５Ｌと、右肘掛け部３Ｒの上部に配備される右腕マッサージ部５Ｒとで構成されている。以下の説明では、右腕マッサージ部５Ｒに着目して構造を説明する。左腕マッサージ部５Ｌは、右腕マッサージ部５Ｒを左右反転した構成となっている。
【００２２】
この右腕マッサージ部５Ｒの座部２側（幅方向内側）は、右肘掛け部３Ｒの幅方向内側に設けられた側板１３（遮蔽板）により、閉塞された状態となっている。右腕マッサージ部５Ｒの後端面には、右肘掛け部３Ｒの後方に向かって開口され、且つ手Ｗ及び前腕Ｖを前方に向かって挿し込むことができる開口部７が形成されている。
また、開口部７の左右方向の内側には、この開口部７に連通するように長細状に開口され、且つ座部２側からの手Ｗ及び／又は前腕Ｖの挿し込みを可能とする側方開口部８が形成されている。この側方開口部８は、右腕マッサージ部５Ｒが格納位置（図１（ａ）参照）にあるときに閉鎖され、且つ右腕マッサージ部５Ｒがマッサージ位置（図１（ｂ）参照）にあるときに側方開口部８が開口されるようになっている。なお、格納位置において、側方開口部８は、完全に閉鎖される必要はなく、その一部のみが閉鎖される構成であってもよい。右腕マッサージ部５Ｒに関する格納位置及びマッサージ位置の詳細は、後述する。
【００２３】
右腕マッサージ部５Ｒの内部には、開口部７又は側方開口部８から挿し込まれた手Ｗ及び前腕Ｖを収容可能な収容部９が設けられている。収容部９は、開口部７が設けられた後面及び側方開口部８が設けられた幅方向内側以外（上面、下面、前面、幅方向の外側面）の面がすべて壁面で構成されていて、これらの壁面に囲まれている。収容部９の中途部〜
後側の上面及び下面には第２エアバッグ１０（マッサージ用空気袋）が配備されており、収容部９に挿し込まれた使用者の前腕Ｖを押圧マッサージできるようになっている。
【００２４】
また、収容部９の前部（右腕マッサージ部５Ｒの先端部）には、挿し込まれた手Ｗを押圧マッサージするための手マッサージ部２１が設けられている。手マッサージ部２１には、第１エアバッグ１１（マッサージ用空気袋）が配備されており、収容部９に挿し込まれた手首から指先までの使用者の手Ｗをマッサージできるようになっている。
図１〜図３に示すように、手マッサージ部２１は、右腕マッサージ部５Ｒの先端部であって、幅方向外側の内壁に配備された第１エアバッグ１１と、この第１エアバッグ１１の側方から覆う覆い体２２とを有している。この手マッサージ部２１は、当該手マッサージ部２１の開口から前方に向かって挿し込まれた使用者の手Ｗを、その手の甲側に配備されている第１エアバッグ１１によってマッサージするものである。
【００２５】
第１エアバッグ１１は、右腕マッサージ部５Ｒの幅方向外側の内壁面に沿うように、上下方向にほぼ垂直に配備されていて、手の甲又は手Ｗと略同じ大きさの正方形状の面を有した平らな空気袋である。この第１エアバッグ１１から所定の間隔を空けると共に、対面する位置に可撓性を有する覆い体２２が配備されている。
このような構成を有する右腕マッサージ部５Ｒは、右肘掛け部３Ｒ内に収容された「格納位置」と、右肘掛け部３Ｒから上方に突出して開口部７からの手Ｗ及び／又は前腕Ｖの挿し込みが可能とされると共に腕のマッサージが可能となる「マッサージ位置」との間で上下方向に移動自在とされている。そして、これらの開口部７及び側方開口部８は、右腕マッサージ部５Ｒがマッサージ位置に移動したときに開口してマッサージが可能となる構成となっている。
【００２６】
具体的には、右腕マッサージ部５Ｒは、当該右腕マッサージ部５Ｒの先端部が右肘掛け部３Ｒに回動自在に枢支されていて、この右肘掛け部３Ｒに枢支された枢支軸１２（幅方向を向く枢支軸１２）の軸心回りに右腕マッサージ部５Ｒが前方回動自在で上下方向に移動可能とされている。言い換えると、右腕マッサージ部５Ｒは、右肘掛け部３Ｒに枢支された先端部に対して後部側が上下方向に揺動する機構となっている。そして、右腕マッサージ部５Ｒは、先端部に対する後部側の上下揺動を利用して、格納位置とマッサージ位置との間で右腕マッサージ部５Ｒの移動を可能とする構成とされている。
【００２７】
なお、左腕マッサージ部５Ｌは、右腕マッサージ部５Ｒを左右反転した配置で配備されていて、内部構造は略同様であるので、説明は省略する。
次に、本発明の特徴である肘掛け部３に形成された切り欠き部２０、及び腕マッサージ部５（詳しくは、手マッサージ部２１）に形成された切り込み部２３ついて、図面を基に説明する。なお、以下の説明においても、右肘掛け部３Ｒ、及び右腕マッサージ部５Ｒに着目して、説明する。左肘掛け部３Ｌ、及び左腕マッサージ部５Ｌにおいても、同様に切り欠き部２０、及び切り込み部２３が設けられている。
【００２８】
格納位置に位置する右腕マッサージ部５Ｒの開口部７に対面する右肘掛け部３Ｒには、当該開口部７より後方が切り取られてなる切り欠き部２０が形成されている。
図１〜図３に示すように、切り欠き部２０は、右肘掛け部３Ｒの外壁面より内側に設けられており、座部２に向かって（幅方向内側に向かって）開放状に形成されている。この切り欠き部２０は、右腕マッサージ部５Ｒの開口部７から後方に向かって形成された所定の広さの空間であって、右腕マッサージ部５Ｒから手Ｗ及び／又は前腕Ｖをスムーズに離脱させることができるようになっている。
【００２９】
切り欠き部２０（すなわち、所定の広さの開放空間）は、上下方向の高さが開口部７の高さとほぼ同じであり、左右方向の幅は右肘掛け部３Ｒとほぼ同じである。また、切り欠き部２０の後方向の奥行きは、例えば開口部７から背もたれ部４の前面近傍までとされている。なお、本実施形態の切り欠き部２０は、上述した広さ及び大きさとしているが、右腕マッサージ部５Ｒから手Ｗ及び／又は前腕Ｖをスムーズに離脱させることができるようになっていれば、切り欠き部２０の広さ及び大きさは問わない。
【００３０】
また、切り欠き部２０を構成する後側壁２４（前後方向での後側の内側壁）は、座部２の上面近傍から上方に向かって開くように傾斜している。肘及び前腕Ｖを傾斜した後側壁
２４に沿うように移動させることで、右腕マッサージ部５Ｒから前腕Ｖをスムーズに離脱させることができる。
つまり、切り欠き部２０は、側面視で扇状の空間となっており、この空間に肘及び前腕Ｖの後端部を移動させて肘を扇状の円弧に沿わせて上方に引き上げることができる。それゆえ、右腕マッサージ部５Ｒに挿し込まれた手Ｗ及び／又は前腕Ｖをスムーズに離脱させることができる。
【００３１】
なお、本実施形態では、後側壁２４は傾斜面として形成しているが、右腕マッサージ部５Ｒから手Ｗ及び／又は前腕Ｖをスムーズに離脱させることができるようになっていれば、側壁面の形状は問わない。例えば、側壁面２４が上下方向にほぼ垂直な面として形成されていてもよい。また、切り欠き部２０が大きく切り欠かれて、後側壁２４を有さない形状とされていてもよい。その場合、背もたれ部４の側部が後側壁２４の役割を奏するように構成することは好ましい。
【００３２】
一方、右腕マッサージ部５Ｒの先端部には、挿し込まれた手Ｗを押圧マッサージするための手マッサージ部２１が設けられている。
前述した如く、手マッサージ部２１は、右腕マッサージ部５Ｒの先端部であって、幅方向外側の内壁に配備された第１エアバッグ１１と、この第１エアバッグ１１の側方から覆う覆い体２２とを有している。
【００３３】
図２、図３に示すように、覆い体２２は、可撓性を有する部材であって、右腕マッサージ部５Ｒの先端部であって幅方向内側に配備されている。すなわち、挿し込まれた手のひら（掌）に対面する部分に配置されている。覆い体２２は、手Ｗと略同じ大きさ（手のひら側の手Ｗ全体を覆う）又は手Ｗより少し大きさの正方形状の面を有した平らな部材である。この平らな形状の覆い体２２は、座部２に対して起立した状態で右腕マッサージ部５Ｒの側板１３に沿うように起立した状態で配備され、収容部９の前部に配設されている。
【００３４】
この側板１３には、使用者の太腿部を押圧マッサージするエアバックが配備されていてもよく、エアバックを単体で配備した上で、側板１３の役目を奏するように構成してもよい。
覆い体２２は、第１エアバッグ１１の膨張による手のひら（手Ｗ）の押し出しを受け止めるようになっている。この可撓性を有する覆い体２２が第１エアバッグ１１と対面するように配備されていることで、覆い体２２は第１エアバッグ１１の膨張によって押し出された手のひら（手Ｗ）を幅方向外側に向かって支持するようになり、第１エアバッグ１１による押圧マッサージの効果を確実なものとしている。
【００３５】
この覆い体２２は、合成皮革や布や合成繊維などの可撓性を有する伸縮部材で形成されており、第１エアバッグ１１の膨張によって幅方向内側に押し出される使用者の手Ｗの押圧によって伸縮するようになっている。
図３（ａ）は、腕マッサージ部５に手Ｗと前腕Ｖを挿し込んだ状態を示す図であり、図３（ｂ）は、腕マッサージ部５から手Ｗと前腕Ｖを切り込み部２３を介して離脱させた状態を示す図である。
【００３６】
図３に示すように、上述した覆い体２２には、開口部７又は側方開口部８の端部から前方に向かって連接するように形成されると共に、挿し込まれた手Ｗを座部方向（覆い体２２より外側）へ離脱可能とする切り込み部２３が形成されている。
切り込み部２３は、格納状態における覆い体２２の上下方向の上部に形成されており、挿し込まれたときの手先に相当する部分まで切り込まれている。切り込み部２３は、ほぼ直線状に形成されており、挿し込まれた手Ｗを座部方向へ離脱するときにだけ開口するようになっている。つまり、手Ｗをマッサージしているときには、切り込み部２３は開口しないようになっている。
【００３７】
例えば、切り込み部２３は、挿し込まれた手Ｗを座部方向へ離脱するときにかかる力にのみ開口するようにすればよい。また、挿し込まれた手Ｗを座部方向へ離脱した後、切り込み部２３は、自然に閉口するようになっていてもよい。すなわち、切り込み部２３は、挿し込まれた手Ｗを座部方向へ離脱する過程において、柔軟に開閉するようになっている。
【００３８】
なお、本実施形態の切り込み部２３は、格納状態における覆い体２２の上下方向の上部に形成されているが、挿し込まれた手Ｗを座部方向へ離脱可能とする位置に形成されていれば、どのような位置であってもよい。例えば、切り込み部２３は、格納状態における覆い体２２の上下方向の中途部に形成されていてもよい。
なお、左腕マッサージ部５Ｌの覆い体２２に形成された切り込み部２３、及び左肘掛け部３Ｌに形成された切り欠き部２０は、右腕マッサージ部５Ｒと及び右肘掛け部３Ｒ同様であるので、説明は省略する。
【００３９】
以上述べたように、本発明の椅子型マッサージ機１は、切り欠き部２０を設けていることにより、使用者が手Ｗ及び／又は前腕Ｖのマッサージを終えた際に、使用者の手Ｗ及び／又は前腕Ｖをスムーズ、且つ確実に腕マッサージ部５から離脱させることができる。また、手Ｗ及び／又は前腕Ｖが挿し込まれた状態の腕マッサージ部５が、万が一上方から下方に移動しても、本発明の特徴である切り欠き部２０によって、前腕Ｖが腕マッサージ部５と肘掛け部３との間に挟まれることを防ぐことができる。
【００４０】
さらに、覆い体２２（手マッサージ部２１）に切り込み部２３を設けていることにより、使用者の手Ｗ及び／又は前腕Ｖを後方に移動させることなく、座部方向（覆い体２２より外側）へ素早く離脱させることができる。
なお、今回開示された実施形態はすべての点で例示であって制限的なものではないと考えられるべきである。例えば、本実施形態の手マッサージ部２１に備えられた第１エアバッグ１１は、手の甲と略同じ大きさの正方形状の面を有した平らなマッサージ用空気袋を用いているが、手の甲及び手のひら（掌）を同時に押圧マッサージをする有底袋体のマッサージ用空気袋を用いてもよい。
【００４１】
特に、今回開示された実施形態において、明示的に開示されていない事項、例えば、運転条件や操業条件、各種パラメータ、構成物の寸法、重量、体積などは、当業者が通常実施する範囲を逸脱するものではなく、通常の当業者であれば、容易に想定することが可能な値を採用している。
【符号の説明】
【００４２】
１    椅子型マッサージ機
２    座部
３    肘掛け部
３Ｌ  左肘掛け部
３Ｒ  右肘掛け部
４    背もたれ部
５    腕マッサージ部
５Ｌ  左腕マッサージ部
５Ｒ  右腕マッサージ部
６    支持フレーム
７    開口部
８    側方開口部
９    収容部
１０  第２エアバッグ
１１  第１エアバッグ
１２  枢支軸
１３  側板
２０  切り欠き部
２１  手マッサージ部
２２  覆い体
２３  切り込み部
２４  後側壁
Ｖ    前腕
Ｗ    手
【図１】
2015000269.tif 000003
【図２】
2015000269.tif 000004
【図３】
2015000269.tif 000005